【事件の表示】
　特願２００１−３５７８４４「自動販売機」拒絶査定不服審判事件〔平成１５年　６月　６日出願公開、特開２００３−１６２７６２〕について、次のとおり審決する。
【結　論】
　本件審判の請求は、成り立たない。
【理　由】
第１　手続の経緯・本件出願の発明
　本件出願は、平成１３年１１月２２日の特許出願であって、同１８年１２月２１日付けで拒絶の理由が通知され、その指定期間内の同１９年３月２０日に意見書と共に明細書について手続補正書が提出されたが、同１９年６月１３日付けで拒絶をすべき旨の査定がされ、同１９年８月３日に本件審判の請求がされると共に請求項の削除を含む明細書の全文について再度手続補正書が提出されたものであり、その請求項１ないし請求項４に係る発明は、上記請求と共に提出された手続補正書により補正した明細書及び願書に添付した図面の記載からみて、その特許請求の範囲の請求項１ないし請求項４に記載された事項により特定されるとおりのものであると認められるところ、請求項１に係る発明（以下「本件出願の発明」という。）は、次のとおりである。
「【請求項１】　複数種類の商品を販売する自動販売機において、
　自動販売機本体の前面に設けられた画像表示手段と、
　各販売商品のサンプルをそれぞれ画像表示手段の画面に表示する商品サンプル表示手段と、
　各販売商品の販売管理データを記録するデータ記録手段と、
　各販売商品の販売管理データに基づいて商品サンプル表示手段を制御する制御手段とを備え、
　前記制御手段を、販売管理データに基づいて算出した所定期間当たりの販売数が最も少ない商品の商品サンプルの表示数を増加させるように構成した
　ことを特徴とする自動販売機。」
　
第２　引用例
　これに対して、原査定の拒絶の理由に引用された本件出願の出願前に日本国内において頒布された刊行物である特開平１０−１９８８５３号公報（以下「引用例１」という。）及び特開平１０−１４３７４４号公報（以下「引用例２」という。）の記載内容は以下のとおりである。
１　引用例１
（１）引用例１記載の事項
　引用例１には以下の事項が記載されている。
ア　段落【０００１】
「【０００１】
【発明の属する技術分野】本発明は自動販売機の販売表示装置に関する。」
イ　段落【００２８】〜【００２９】
「【００２８】
【発明の実施の形態】以下、本発明の一実施の形態を図面に基づき説明する。図１，図２に示すように、この自動販売機の前面扉１１における上部寄り箇所には、画像表示手段としての大型の液晶ディスプレイ装置からなる表示部１２が設けられ、表示部１２の表面にはタッチパネル１５が設けられている。表示部１２は自動販売機の制御手段１３により制御されるようになっており、制御手段１３には、記憶手段１４やタッチパネル１５が接続されている。また、前面扉１１には人が近づいたことを検知する赤外線センサなどからなる接近検知センサ１８や外気温を検知する温度センサ１９も設けられてそれぞれ制御手段１３に接続され、さらに、前面扉１１の裏面側または自動販売機本体には前面扉１１の開閉状態を検知する開閉状態検知センサ１６が設けられて制御手段１３に接続されている。
【００２９】記憶手段１４には、販売可能な商品名が全て入力されているとともに、この商品名に関連付けられて、それぞれ各商品のサンプル画像２１（図２〜図４では略して図示している）のデータと販売価格情報２２と、その商品がホット販売およびコールド販売の両方が可能な冷温可能商品であるかどうかの冷温可否情報２３とが記憶されている。また、自動販売機本体内のどの収納コラムにどの商品が収納されているかなどの情報も記憶できるようになっている。」
ウ　段落【００３１】〜【００３３】
「【００３１】販売動作に先立って、商品を収納コラムに投入する際には、前面扉１１を開けることにより、開閉状態検知センサ１６により前面扉１１が開けられたことが検知され、表示部１２の表示画面が設定モード画面となり、コラム設定情報の内容が表示部１２の画面上に表示される。例えば、図３に示すように、表示部１２の左側に各庫内の収納コラムが表示される（図３においては、それぞれ断熱構造とされた左庫と右庫とがあり、左庫には８つの収納コラムがあり、右庫には４つの収納コラムがある場合が示されている）。一方、表示部１２の右側には、販売可能な商品名が全て表示される。この状態で、収納コラムに収納した（または収納する）商品の表示部分を指で押圧して、押したままその商品が収納されている（または収納する予定である）商品コラムまで指を移動させて離すこと（以下、ドラッグと略す）により商品コラムと商品との対応関係を設定することができる。また、この際に各庫の冷温設定も表示部１２における冷温選択押釦を表示した箇所を押すことにより設定できる。
【００３２】これらの設定が終了したことをキー入力すると、販売商品についての表示位置の設定が行われる。すなわち、図４に示すように、表示部１２の左側に各庫内の収納コラムとその収納コラムに収納された商品とが表示されるとともに、表示部１２の右側に販売表示設定画面が表示される。したがって、この状態で、収納コラムに収納された商品を指定して商品配置位置にドラッグすることにより、その商品の表示位置が設定されるとともに、その冷温表示情報２３などもその商品表示位置に対応した位置に表示される。また、この際に、交互販売（同一種類で同一冷温設定の商品を収納した商品コラムが複数ある場合に、その商品の販売指示があった場合には、商品を払い出す商品コラムを交互に切り換えて払い出して、これらの商品コラムの商品の払い出しをほぼ均等化する）の設定も行うことが可能となっている。図４に示す例においては、第１番目の商品コラムと第２番目の商品コラムとが交互販売に設定されている。
【００３３】この設定が終了したことをキー入力すると、販売表示画面が表示される。つまり、商品のサンプル画像２１の下にその商品価格情報２２が表示され、さらにその下に冷温表示情報２３が表示され、これらが対となって全ての販売商品について表示される。この際には、販売商品の表示位置の変更が可能とされ、サンプル画像２１の商品を指定してドラッグすることにより、例えば右端に表示された商品と左端に表示された商品との表示位置を入れ替えるなど、所望の配置とすることができる。また、例えば、お勧め商品の表示部分２４を設けて、その箇所への表示商品の指定を行ってもよい。また、この際に、各商品について１箇所ずつ表示させるモードと、各商品について２箇所ずつ表示させるモードと、特定の商品についてだけ複数箇所表示させるモードとの選択を行うことができるように設定してもよい。」
エ　段落【００３５】
「【００３５】これらの設定が終了すると、設定の終了をキー入力などにより認識させた後、前面扉１１を閉じるとこれが開閉状態検知センサ１６により検知されて販売待機状態となる。これにより、商品のサンプル画像２１の下にその商品価格情報２２が表示され、さらにその下に冷温表示情報２３が表示され、これらが対となって全ての販売商品について表示される。また、表示部１２における所定箇所には投入金額を表示する金額表示部２６も設けられている。」
オ　段落【００３７】
「【００３７】商品販売時には、客が販売金額以上を投入した状態で商品のサンプル画像２１の箇所が指で押されると、タッチパネルによりこの選択動作が認識され、該当する商品が払い出されて販売される。」
カ　段落【００４３】
「【００４３】さらに、各収納コラムにおいて、商品の払出動作があった場合にこの払出動作の回数を制御手段１３により検知して、商品毎に所定の期間内における販売数を計数し、よく売れている売れ筋商品については、その商品に対応するサンプル画像などの表示部分をお勧め商品の表示部分２４に自動的に配置替えするようにしてもよく、これによれば、さらに商品販売が促進されることとなる。また、この代わりに、よく売れている売れ筋商品に対応するサンプル画像などの表示数を増やしてもよい。」
キ　段落【００５４】
「【００５４】また、商品毎に所定の期間内における販売数を計数する計数手段を設け、制御手段は、商品の販売数に基づいて商品のサンプル画像の表示位置および表示数の少なくとも一方を決定することにより、売れ筋商品のサンプル画像を目立つ位置に表示させたり、表示数を多くさせたりすることで、販売を促進させることができる。」
ク　ここで、図面の図２を参照すると、表示部１２がサンプル画像２１を表示していることは明らかであり、表示部１２がサンプル画像２１を表示する手段を「商品サンプル表示手段」と呼ぶことができる。
　また、摘記事項キから、計数手段によって販売数を計数し、それに対して制御手段１３は、所定の期間内においてよく売れている売れ筋商品のサンプル画像２１の表示数を増加させるように、上記商品サンプル表示手段を制御するものであることも明らかである。また、所定の期間内においてよく売れている売れ筋商品を把握するには、所定期間当たりの販売数を算出しなければならず、所定期間当たりの販売数は計数手段によって計数された販売数に基づいて算出されるものであることも、明らかである。
（２）引用例１記載の発明
　引用例１記載におけるアないしキの記載事項、及びクの認定事項を本件出願の発明に照らして整理すると、引用例１には以下の発明が記載されていると認める。
「複数種類の商品を販売する自動販売機において、
　自動販売機本体の前面に設けられた表示部１２と、
　各販売可能な商品のサンプル画像２１をそれぞれ表示部１２の画面に表示する商品サンプル表示手段と、
　販売商品毎に所定の期間内における販売数を計数する計数手段と、
　前記計数手段により計数された各販売商品の販売数に基づいて商品サンプル表示手段を制御する制御手段１３とを備え、
　前記制御手段１３を、販売数に基づいて算出した所定の期間内においてよく売れている売れ筋商品のサンプル画像２１の表示数を増加させるように構成して販売を促進させることができるようにした自動販売機。」（以下、「引用例１記載の発明」という。）
２　引用例２
　引用例２には以下の事項が記載されている。
ケ　段落【０００１】
「【０００１】
【発明の属する技術分野】本発明は、自動販売機に関する。」
コ　段落【００３１】〜【００３９】
「【００３１】図５は、第２の実施例による対応テーブル更新制御を説明する図である。ここで、一般に、図３に示すような自動販売機の配置において、利用者が右手で硬貨（現金）投入口２４に硬貨（現金）を投入した場合、右端に近い商品選択ボタンほど押し易い。すなわち、利用者の購入意欲が同じ商品ならば硬貨投入口２４に近い（本例では右端に近い）商品ほど購入され易くなる。
【００３２】第２の実施例は、このような人間の心理的な購買法則に対応させて、売れ難い商品の商品見本の表示を、硬貨投入口２４の近くに移動させるものである。図５において、商品在庫順位データ５１（初期状態）のｓ［Ａ］〜ｓ［Ｆ］は、各商品Ａ〜Ｆの在庫量を示すものであり、在庫量の多い商品から降順に並べられている。初期状態では、各商品の在庫量は同一であるものとしており、商品在庫順位データ５１（初期状態）の順番は、例えば図４（ａ）のテーブル３０のレコード順に対応するものとなっている。ここで、テーブル３０の各レコードは、“ボタン”３１をキーにして、このボタンが硬貨投入口２４に近いものから順に並べられている。
【００３３】自動販売機２０は、各商品の自動販売機内の在庫量を検出する検出装置を有する。あるいは、各商品の販売数をカウントする計数装置を有する。そして、制御装置１４は、一定時間毎に各商品の在庫量（又は販売数）を判別して、商品在庫順位データを更新する。
【００３４】例えば、上記初期状態から一定時間経過後に各商品の在庫量を判別した結果、在庫量が多い順に「ｓ［Ｅ］＞ｓ［Ｆ］＞ｓ［Ｃ］＞ｓ［Ｄ］＞ｓ［Ｂ］＞ｓ［Ａ］」となっていた場合、商品の在庫量が多い順にソーティングすると、同図の商品在庫順位データ５２（ソーティング後）に示すようになる。
【００３５】そして、この商品在庫順位データ５２を用いて、テーブル３０を変更する。テーブル３０は、上記の様にキー項目である“ボタン”３１が硬貨投入口２４に近いボタン番号のレコードから順に並んでいる。
【００３６】このテーブル３０を、上記ソーティング後の商品在庫順位データ５２に基づいて変更する。すなわち、“商品”３３のデータを商品在庫順位データ５２の順番に従って並び替える。例えば、硬貨投入口２４に最も近いボタン丸１（当審注：丸囲み数字）のレコードの“商品”３３には商品在庫量（ｓ［Ｅ］）が最も多い商品Ｅを対応させる。同様にして、商品在庫量がより多い商品を硬貨投入口２４により近いボタンのレコードに対応させる。これに伴って、各“見本”３２を、対応する“商品”３３のレコードに並び替える。
【００３７】これによって、ソーティング後のテーブルは、例えばテーブル５０に示すようになる。制御装置１４は、このテーブル５０の内容にしたがって、ディスプレイ２１の表示を変更する。
【００３８】この結果、図６に示す自動販売機６０のディスプレイ６１のような表示に変わる。自動販売機６０は、商品選択ボタン２２と商品収納庫２３にある商品の実物の配置は、自動販売機２０と同じである。そして、ディスプレイ６１に表示される商品見本の配置が変更されている。最も在庫量が多い（すなわち、最も売れなかった）商品“Ｅ”の商品見本“ｅ”が、最も硬貨投入口２４に近い位置に表示される。以下、在庫量が多い商品の商品見本から順に表示され、最も在庫量が少ない商品“Ａ”の商品見本“ａ”が、最も硬貨投入口２４から遠い位置に表示される。
【００３９】これによって、商品見本の表示位置を変更した後は、変更前に比べて商品“Ｅ”、“Ｆ”等が購入されやすくなる。このような売行きに応じて商品見本の表示位置を変更する処理を、一定時間毎に行うことで、よく売れる商品と売れない商品との販売量の格差を縮めることができ、特定の人気商品のみが早く売切れてしまうという事態を防ぐことができる。」
　以上の記載事項を整理すると引用例２には以下の事項が記載されていると認めることができる。
「自動販売機において、一定時間毎に在庫量の多い売れ難い商品について商品見本の表示を、硬貨投入口２４の近くに移動させることにより、当該商品を購入され易くすること。」（以下、「引用例２記載の事項」という。）
　
第３　対比
　本件出願の発明と引用例１記載の発明とを対比すると以下のとおりである。
　後者の「表示部１２」は前者の「画像表示手段」に相当し、後者の「サンプル画像２１」は前者の「サンプル」、又は「商品サンプル」に相当する。
　補正明細書の段落【００２６】に「販売管理データ記憶部９は周知のメモリからなり、各販売商品ごとの販売数等を記録するようになっている。」と記載されていることからみて、後者の計数手段によって計数される「販売数」は、前者の「販売管理データ」に相当する。してみると、後者の「計数手段」は前者の「データ記録手段」に相当するから、結局、後者の「販売商品毎に所定の期間内における販売数を計数する計数手段」は、前者の「各販売商品の販売管理データを記録するデータ記録手段」に相当する。
　後者における「制御手段１３を、販売数に基づいて算出した所定の期間内においてよく売れている売れ筋商品のサンプル画像２１の表示数を増加させるように構成して販売を促進させることができる」ことは、「制御手段を、販売管理データに基づいて算出した所定期間当たりの販売数に基づいて決定される特定商品の商品サンプルの表示数を増加させる」という限りで、前者における「制御手段を、販売管理データに基づいて算出した所定期間当たりの販売数が最も少ない商品の商品サンプルの表示数を増加させる」ことと共通している。
　したがって、本件出願の発明と引用例１記載の発明とは、以下の一致点と相違点とを有しているということができる。
［一致点］
「複数種類の商品を販売する自動販売機において、
　自動販売機本体の前面に設けられた画像表示手段と、
　各販売商品のサンプルをそれぞれ画像表示手段の画面に表示する商品サンプル表示手段と、
　各販売商品の販売管理データを記録するデータ記録手段と、
　各販売商品の販売管理データに基づいて商品サンプル表示手段を制御する制御手段とを備え、
　前記制御手段を、販売管理データに基づいて算出した所定期間当たりの販売数に基づいて決定される特定商品の商品サンプルの表示数を増加させるように構成した
　自動販売機。」
［相違点］
　販売数に基づいて決定される特定商品が、本件出願の発明では、販売数が最も少ない商品であるのに対して、引用例１記載の発明では、よく売れている売れ筋商品である点。
　
第４　相違点についての検討
　上記第２の２末尾で認定したように引用例２には「自動販売機において、一定時間毎に在庫量の多い売れ難い商品について商品見本の表示を、硬貨投入口２４の近くに移動させることにより、当該商品を購入され易くすること。」が記載されている。
　ここで、「商品を購入され易くすること」は、明らかに販売を促進することであるから、引用例２記載の事項は、「自動販売機において、在庫量の多い売れ難い商品について、販売を促進する。」と言い換えることができる。
　一般に、どのような商品の販売を促進するかは、何を最も売りたいかという目的に応じて適宜決めることであり、その場合、売れる商品の販売を促進することも、在庫量の多い売れ難い商品の販売を促進することも、従来通常行われている周知の事項であるところ、引用例２には、自動販売機において、売れ難い商品について販売を促進することが記載されている。してみると、引用例２記載の事項を引用例１記載の発明に適用して、売れ筋商品に代えて売れ難い商品、すなわち、販売数が最も少ない商品について、販売を促進すること、すなわち、引用例１記載の発明では、販売を促進させる手段はサンプル画像２１の表示数を増加させることであるから、引用例１記載の発明において、販売数が最も少ない商品について、商品サンプルに相当するサンプル画像２１の表示数を増加させるように構成することに格別の困難性は見当たらない。
　また、本件出願の発明の採用する構成によってもたらされる効果も、引用例１記載の発明及び引用例２記載の事項から当業者であれば予測できる程度のものであって格別のものではない。
　
第５　むすび
　したがって、本件出願の発明は、引用例１記載の発明、引用例２記載の事項及び上記周知の事項に基づいて当業者が容易に発明をすることができたものであるから、特許法第２９条第２項の規定により特許をすることができない。
　よって、本件出願のその余の請求項に係る発明について検討するまでもなく、本件出願は拒絶されるべきであるから、結論のとおり審決する。